(57)【要約】【課題】開口閉塞時において、防塵性の強化を図った記録テープカートリッジの提供を課題とする。【解決手段】記録テープＴが巻装された単一のリール１４を回転可能に収容する略矩形状のケース１２と、ケース１２のドライブ装置への装填側角部に形成され、記録テープＴの端部に取り付けられたリーダー部材２２を引き出すための開口２０と、スライドして開口２０を開閉する遮蔽部材５０と、を備えた記録テープカートリッジ１０において、遮蔽部材５０が開口２０を閉塞したときに、その遮蔽部材５０の先端にオーバーラップする防塵壁３０を開口２０の辺縁部に形成する。【選択図】　　　図５
2004030760.tif 000002
【特許請求の範囲】
【請求項１】
記録テープが巻装された単一のリールを回転可能に収容する略矩形状のケースと、
前記ケースのドライブ装置への装填側角部に形成され、前記記録テープの端部に取り付けられたリーダー部材を引き出すための開口と、
スライドして前記開口を開閉する遮蔽部材と、を備えた記録テープカートリッジにおいて、
前記遮蔽部材が開口を閉塞したとき、その遮蔽部材の先端にオーバーラップする防塵壁を前記開口の辺縁部に形成したことを特徴とする記録テープカートリッジ。
【発明の詳細な説明】
【０００１】
【発明の属する技術分野】
本発明は、主にコンピューター等の記録再生媒体として使用される磁気テープ等の記録テープが巻装された単一のリールをケース内に収容してなる記録テープカートリッジに関する。
【０００２】
【従来の技術】
従来から、コンピューター等のデータ記録再生媒体として使用されている磁気テープを単一のリールに巻装し、そのリールをケース内に収容してなる磁気テープカートリッジが知られている。この磁気テープの先端には、リーダーピンやリーダーテープ、リーダーブロックといったリーダー部材が設けられており、そのリーダー部材をドライブ装置側に設けられた引出手段が磁気テープカートリッジの開口から引き出し、それに固着された磁気テープをドライブ装置側の巻取リールに巻装させるようになっている。
【０００３】
また、磁気テープカートリッジの下面に穿設された開孔から現出しているリールの下面中央にはリールギアが環状に刻設されており、ドライブ装置側の回転シャフトに設けられた駆動ギアがそのリールギアに噛合することにより、リールが回転駆動するように構成されている。しかして、磁気テープカートリッジのリール及びドライブ装置の巻取リールを同期して回転させることにより、磁気テープにデータを記録したり、磁気テープに記録されたデータの再生ができる。
【０００４】
このような構成の磁気テープカートリッジは、保存時の収容スペースが小さくて済むとともに、大容量の情報を記録でき、リーダー部材のタイプ毎に、開口位置及びその開口を開閉するドアのタイプが異なっている。すなわち、例えばリーダーピン７０の場合には、図７で示すように、ドライブ装置への装填方向（矢印Ｐ方向）と平行な側壁６４側で、かつ、その装填側角部近傍に開口６８が形成されており、ドライブ装置への装填方向と同方向にスライド移動するドア６６によって、その開口６８が開閉されるようになっている。
【０００５】
このタイプのドア６６は、その後端部に突設されたシャフト６５にコイルばね６７が嵌挿され、ケース６０に設けられた係止部６３にそのコイルばね６７の後端部が係止されるようにして、ケース６０内に組み込まれるようになっている。そして、ドア６６の前端部には、ドライブ装置に設けられた開閉部材（図示省略）が係合する係合部６９が外方へ向かって突設されている。
【０００６】
したがって、磁気テープカートリッジがドライブ装置へ装填されると、その係合部６９に開閉部材が係合し、ドア６６がコイルばね６７の付勢力に抗して相対的に後方へ向けて押圧され、開口６８が開放される。このとき、その係合部６９に開閉部材が好適に係合するように、ドライブ装置と対向する側壁６２側で、かつ、開口６８側の端部には、係合部６９を露出させるための切欠部６１が形成されている。
【０００７】
【発明が解決しようとする課題】
しかしながら、このように、側壁６２の開口６８側端部に切欠部６１が形成されていると、磁気テープカートリッジの不使用時（ドライブ装置に装填しない、保管時や運搬時）等、開口６８がドア６６によって閉塞されている場合に、その切欠部６１と係合部６９との隙間から塵埃等が入り込むおそれがある。
【０００８】
そこで、本発明は、開口が遮蔽部材（ドア）によって閉塞されているときに、その開口の辺縁部と遮蔽部材（ドア）との間に、塵埃等が入り込めるような隙間が発生しないようにして、防塵性の強化を図った記録テープカートリッジを得ることを目的とする。
【０００９】
【課題を解決するための手段】
上記の目的を達成するために、本発明に係る請求項１に記載の記録テープカートリッジは、記録テープが巻装された単一のリールを回転可能に収容する略矩形状のケースと、前記ケースのドライブ装置への装填側角部に形成され、前記記録テープの端部に取り付けられたリーダー部材を引き出すための開口と、スライドして前記開口を開閉する遮蔽部材と、を備えた記録テープカートリッジにおいて、前記遮蔽部材が開口を閉塞したときに、その遮蔽部材の先端にオーバーラップする防塵壁を前記開口の辺縁部に形成したことを特徴としている。
【００１０】
これによれば、遮蔽部材が開口を閉塞しているとき、遮蔽部材の先端は、開口の辺縁部に形成された防塵壁とオーバーラップする。したがって、開口の辺縁部と遮蔽部材との間に、塵埃等が入り込む隙間が生じることはなく、よって、その部位において、防塵性の強化を図ることができる。
【００１１】
【発明の実施の形態】
以下、本発明の実施の形態に係る記録テープカートリッジ１０を図１乃至図６に基づいて説明する。まず、最初に、記録テープカートリッジ１０の全体構成を簡単に説明し、次いで本発明に係る要部について詳細に説明する。なお、説明の便宜上、記録テープカートリッジ１０のドライブ装置への装填方向を矢印Ａで示し、それを記録テープカートリッジ１０の前方向（前側）とする。そして、矢印Ａと直交する矢印Ｂ方向を右方向とする。
【００１２】
図１、図２で示すように、記録テープカートリッジ１０は、平面視で略矩形状のケース１２内に、情報記録再生媒体である記録テープとしての磁気テープＴを巻装した単一のリール１４を回転可能に収容して構成されている。ケース１２は、ドライブ装置への装填方向先頭側の１つの角部である右前角部がそれぞれ斜めに切り欠かれた一対の上ケース１６と下ケース１８とを互いの周壁１６Ａ、１８Ａを突き合せて接合することで構成されており、内部に磁気テープＴを巻装したリール１４の収容空間が設けられている。
【００１３】
また、上ケース１６及び下ケース１８の周壁１６Ａ、１８Ａにおいて、切り欠かれた右前角部には磁気テープＴの引き出し用の開口２０が形成され、この開口２０から引き出される磁気テープＴの自由端には、ドライブ装置の引出手段によって係止（係合）されつつ引き出し操作されるリーダーピン２２が接続されている。リーダーピン２２の磁気テープＴの幅方向端部より突出した両端部には、環状溝２２Ａが形成されており、この環状溝２２Ａが引出手段のフック等に係止されることにより、磁気テープＴを引き出す際に、そのフック等が磁気テープＴに接触して傷付けない構成である。
【００１４】
また、その開口２０の内側には、ケース１２内においてリーダーピン２２を位置決め、保持する上下一対のピン保持部２４が設けられている。ピン保持部２４は、図３、図４でも示すように、略半円筒形状をしており、その凹部２４Ａ内に直立した状態のリーダーピン２２の両端部が保持される。そして、ピン保持部２４の外周壁の磁気テープＴ引き出し側は開放しており、リーダーピン２２が出入する出入口となっている。
【００１５】
ピン保持部２４の近傍には、板ばね２５が、前壁１２Ａ（周壁１６Ａ、１８Ａのうち、外面が矢印Ａ方向を向く部分）の内面に設けられたばね保持部２７と溝部２３（図３、図４参照）に、その基部が挿入されて固定配置されるようになっており、この板ばね２５の二股状の先端部がリーダーピン２２の上下端にそれぞれ係合して、リーダーピン２２をピン保持部２４に保持するようになっている。なお、リーダーピン２２がピン保持部２４に出入する際には、板ばね２５の先端部は適宜弾性変形してリーダーピン２２の移動を許容する構成である。
【００１６】
更に、下ケース１８の中央部には、リール１４の図示しないリールギアを外部に露出するためのギア開口２６が設けられており、リール１４はリールギアがドライブ装置の駆動ギアに噛合されてケース１２内で回転駆動されるようになっている。また、リール１４は、上ケース１６及び下ケース１８の内面にそれぞれ部分的に突設されて、ギア開口２６と同軸的な円形の軌跡上にある内壁としての遊動規制壁２８によってガタつかないように保持されている。
【００１７】
この遊動規制壁２８の開口２０近傍の端部には、内部に位置規制用穴が形成された袋部２８Ａが連設されている。そして、ケース１２の左前角部の内側においては、長穴である位置規制用穴が形成された袋部２９が遊動規制壁２８とは離間して設けられている。袋部２８Ａ、２９は、矢印Ｂ方向に沿った一直線上に配置されており、袋部２８Ａが連設された端部を除いて、各遊動規制壁２８は、それぞれ端部がケース１２の周壁１６Ａ又は周壁１８Ａと連設されることで、その外側とリール１４の設置空間とを仕切っている。
【００１８】
また、下ケース１８の後方側には、周壁１８Ａの上端を除く部分が断面視略「コ」字状にケース１２の内方へ凹むとともに、ケース１２の下面から上方へも凹んだ（底板が切り欠かれた）凹部４８が形成されている。この凹部４８は、ケース１２の左壁にも形成され、例えばドライブ装置の引き込み手段が係合する係合部とされたり、その底面（下向きの面）がドライブ装置内での位置決め用の基準面とされたりするようになっている。
【００１９】
また、その凹部４８の後方側にも周壁１８Ａの上端を除く部分が断面視略「コ」字状にケース１２の内方へ凹むとともに、ケース１２の下面から上方へも凹んだ（底板が切り欠かれた）凹部４６が形成されている。この凹部４６は、ライブラリー装置の把持手段が係合する係合部とされており、このような凹部４６、４８を設けることでケース１２（下ケース１８）の捩り強度が向上される。また、上ケース１６の左壁の上面部分には、平面視略台形状の凹部４４が形成されている。この凹部４４は、開口２０の開放時、後述するドア５０の開放方向への移動に伴う回転モーメントをキャンセルするための保持部材（図示省略）が係合する係合部とされている。
【００２０】
また、下ケース１８の右後部には、各記録テープカートリッジ１０毎に、その各種情報を記憶されたメモリーボードＭが設置されるようになっており、下面側から読み取るドライブ装置と、後壁側から読み取るライブラリー装置での検知が可能となるように、後部内壁１８Ｂが所定角度の傾斜面に形成され、メモリーボードＭが支持突起１９により支持されて所定角度に傾斜配置されるようになっている。また、下ケース１８の左後部には、その記録テープカートリッジ１０への記録可・不可が設定されるライトプロテクト（図示省略）が設けられるようになっており、ライトプロテクトを操作する操作突起（図示省略）が突出する開孔１７が穿設されている。
【００２１】
また、上ケース１６及び下ケース１８において、開口２０近傍から後壁の近傍まで、後述するドア５０の凸部５１を内面側及び外面側の両側方から挟み込むようにして支持する所定高さのガイド壁部４２が立設されている。このガイド壁部４２は、平面視略円弧状に形成され、上ケース１６と下ケース１８とではその長さが異なっており、上ケース１６側の方が下ケース１８側よりも後側が長く形成されている。これは、下ケース１８の後部内壁１８Ｂの右壁１２Ｂ寄りに、メモリーボードＭを所定角度で傾斜配置しているからである。
【００２２】
また、ガイド壁部４２の後端部は平面視略円弧状に閉塞されており、ドア５０がそれ以上後方へ移動できないように、上下それぞれ最も後側の凸部５１を規制するようになっている。そして、ガイド壁部４２の前端部は開放されており、リーダーピン２２の出入時に、そのリーダーピン２２の出入を妨げないような位置（この図示のものはピン保持部２４よりも後方側で、開口２０の開口幅の約半分程度）まで延設されている。
【００２３】
また、ガイド壁部４２は、少なくとも開口２０から露出している部分（開口２０に臨む部分）が若干低くなるように形成されている。これは、開口２０に、リーダーピン２２をチャックして引き出すドライブ装置側の引出手段が入り込めるスペースを確保するためである。したがって、ドア５０の少なくとも開口２０を閉塞する部分の板幅（高さ）が、その分、大きく（高く）なるように形成されている。
【００２４】
また、上ケース１６内面及び下ケース１８内面には、その開口２０から露出している外側のガイド壁部４２と一体になって平面視略台形状をなすリブ３８が、そのガイド壁部４２と同等の高さになるように立設されており、このリブ３８によって開口２０部分における上ケース１６及び下ケース１８の強度が確保されるようになっている。なお、内側のガイド壁部４２はピン保持部２４と一体になるように連設されているが、ピン保持部２４の高さは、一体に連設されたガイド壁部４２の高さと略同等か、それよりも高く形成されていることが望ましい。
【００２５】
一方、開口２０を開閉する遮蔽部材としてのドア５０は、所定の円周に沿って（ガイド壁部４２に沿って）移動できるように、板厚方向に湾曲した平面視略円弧状に形成され、上記したように、少なくとも開口２０を閉塞する部分の板幅（高さ）が開口２０の開口高さと略同一に形成され、それよりも後側が若干小さく（低く）形成されている。また、ドア５０の湾曲した長手寸法（板長）は、その後端部が開口２０の閉塞状態において、ケース１２の凹部４８よりも後方の（凹部４６近傍の）右後角部内に位置するように決められており、ドア５０の後下部は、下ケース１８の後部内壁１８Ｂ側に所定角度で傾斜配置されたメモリーボードＭを回避するために、斜めに切り欠かれている。
【００２６】
また、ドア５０の上面及び下面には、ガイド壁部４２のガイド面（互いに対向している内面）と、ガイド壁部４２間の上ケース１６内面及び下ケース１８内面にそれぞれ当接して、ドア５０を開口２０の開閉方向に案内する凸部５１が突設されている。この凸部５１は、ドア５０の長手方向に沿って長い平面視略楕円形状に形成され、上面及び下面にそれぞれ４つずつ、最も後側の凸部５１を除いて上下対称に、かつ、ガイド壁部４２の高さと略同等の高さになるように突設されている。なお、最後側の凸部５１が上下対称でないのは、ドア５０の後下部が斜めに切り欠かれていることによる。
【００２７】
また、この凸部５１の先端は断面視（側面視）略円弧状になるように形成され、凸部５１がガイド壁部４２間に挿入されて摺動する際には、その凸部５１の先端だけが上ケース１６内面及び下ケース１８内面に線接触する。したがって、上下の凸部５１と、ガイド壁部４２間の上ケース１６内面及び下ケース１８内面との摺動抵抗（摩擦）を低減することができ、ドア５０を抵抗少なく、スムーズに摺動させることができる。なお、凸部５１が平面視略楕円形状に形成されていると、例えば平面視略円形状に形成されているものよりも耐衝撃性に優れるため、落下等の衝撃によってドア５０に開閉方向以外からの力が加えられても、その凸部５１が折れるような心配はない。
【００２８】
また、ドア５０の前端部内面には、開口２０閉塞時において、リーダーピン２２の上端部側面及び下端部側面に当接するストッパー５８が突設されており、落下衝撃等によってリーダーピン２２がピン保持部２４から脱落するのを、より一層防止できるようになっている。そして、ドア５０を開口２０閉塞方向へ付勢する付勢部材としてのコイルばね５６は、ドア５０が開口２０の閉塞状態でケース１２の右後角部に至る長さであるため、右後角部における遊動規制壁２８と右壁１２Ｂ（周壁１６Ａ、１８Ａ）との間の空間を有効利用して配設されている。
【００２９】
すなわち、ドア５０の後端近傍の内周面には、背面視略Ｌ字状のばね保持部５４が上方に向かって一体的に突設され、下ケース１８の凹部４８近傍の内面には、円柱状のばね係止部５５が上方に向かって突設されている。そして、コイルばね５６の両端にはリング状の取付部５６Ａ、５６Ｂがそれぞれ形成されている。したがって、コイルばね５６は、その一方の取付部５６Ｂをばね係止部５５に上方から挿入し、他方の取付部５６Ａをばね保持部５４に上方から挿入することにより、上記した空間内に簡単に取り付けることができる。
【００３０】
また、上ケース１６には、ドア５０の開閉時に、ばね保持部５４の上部が摺接するリブ５７が、平面視略円弧状に立設されている。このリブ５７は、少なくともドア５０が移動（開放）し始める際には、ばね保持部５４が摺接できるような位置及び長さに配設され、コイルばね５６の付勢力に抗して移動するばね保持部５４を好適にガイドすることにより、ドア５０がより安定して開放されるように（開放時にドア５０がコイルばね５６の付勢力によってブレないように）している。
【００３１】
また、落下等による衝撃がケース１２に加えられて、コイルばね５６の取付部５６Ａがばね保持部５４を上昇してきても、このリブ５７を設けることによって、そのばね保持部５４から外れないようにできる。なお、ばね係止部５５側も、その上端が上ケース１６の遊動規制壁２８とガイド壁部４２との間に挿入されることになるので、同様に、取付部５６Ｂがばね係止部５５から外れるのを防止することができる。
【００３２】
また、ドア５０の長手方向中央部よりも若干前方（ドア５０の板幅が異なる境界部分近傍）における外周面には、操作部としての操作突起５２がドア５０の径方向に沿って突設されており、ケース１２の右壁１２Ｂに設けられた窓部としてのスリット４０から、ケース１２の外側へ露出されるようになっている。このスリット４０は、右壁１２Ｂを構成する上ケース１６の周壁１６Ａの前側下部を所定長さ切り欠いて形成され、開口２０側へも開放されている。
【００３３】
したがって、操作突起５２は、スリット４０の前方へ開放された部分から操作可能とされ、開口２０の開放状態では、スリット４０の後縁から僅かに離間して位置するようになっており、このとき、ガイド壁部４２の後端部に最後端側の凸部５１が当接している。また、この操作突起５２露出用のスリット４０によってケース１２の内外が連通されるが、このスリット４０は、ケース１２内の略全高に亘るドア５０によって常時ほぼ閉塞され、かつ、内壁としての遊動規制壁２８が設けられていることによって、リール１４に巻装された磁気テープＴへの塵埃等の付着は防止される。
【００３４】
以上のような記録テープカートリッジ１０において、次に本発明に係る開口付近の構成について、更に詳細に説明する。図５、図６で示すように、ケース１２の前壁１２Ａの右端部には、開口２０の前縁部を規定する上下一対の短い傾斜壁部３０が一体に設けられている。この傾斜壁部３０は、開口２０の開放面に沿って屈曲形成され、その左方近傍の前壁１２Ａ内側には、上下一対のビスボス３２が連設されている。
【００３５】
また、この傾斜壁部３０の延長線上及び内側には、ガイド壁部４２と同一円周上に位置する短いガイド壁部４１が立設されている。このガイド壁部４１の間隔は、ガイド壁部４２の間隔よりも若干幅狭に形成され、ドア５０の凸部５１が、開口２０閉塞時に、ガイド壁部４１内に嵌入されることにより、ドア５０がガタつかずに保持されるようになっている。なお、当然ながら、ガイド壁部４１の後端部は開放されており、リーダーピン２２の出入を妨げないように、ピン保持部２４の前端よりも後方側には延設されないようになっている。
【００３６】
また、ドア５０の前端部（先端部）がガイド壁部４１内に入り込むと、傾斜壁部３０の内側にドア５０の前端部が位置することになり、傾斜壁部３０とドア５０の前端部とがオーバーラップして（ドア５０の前端部外面が傾斜壁部３０の内面に接触又は非接触状態で被覆されて）ラビリンス構造が形成されるので、開口２０閉塞時において、開口２０の辺縁部（傾斜壁部３０の後端部）とドア５０との隙間から、塵埃等がケース１２内へ進入するのを確実に防止することができる。なお、ガイド壁部４１に入り込むドア５０の前端部（先端部）の内面及び／又は外面は、スムーズに入り込めるようにテーパー面に形成されることが好ましく、この場合は外面がテーパー面５０Ａになっている（図５参照）。
【００３７】
また、ケース１２の右壁１２Ｂ（周壁１６Ａ、１８Ａのうち、外面が矢印Ｂ方向を向く部分）の前端部内側には、平面視で、ドア５０の外周面に略沿った形状の上下一対の傾斜壁部３４が設けられている。この傾斜壁部３４の前端面が開口２０の後縁を規定しており、その前端部には上下一対のビスボス３６が設けられている。
【００３８】
しかして、これら開口２０の辺縁部近傍に位置する各ビスボス３２、３６に、図示しないビスが下方側から螺合されて、上ケース１６と下ケース１８とが固定（接合）される構成である。これにより、傾斜壁部３０（前壁１２Ａ）及び傾斜壁部３４（右壁１２Ｂ）の各自由端によって規定され、強度的に不利で落下によって地面等に衝突しやすい開口２０両端のコーナー部は強固に接合され、ケース１２を落としても、開口２０部分が記録テープカートリッジ１０全体の重量で変形したり、座屈して位置ズレしたりしない構成である。なお、このようなビス止めは、分解性やリサイクル性においても好ましいことは言うまでもない。また、ビスボス３２から延設された傾斜壁部３０により、開口２０周りの強度アップが更に図れるので、落下衝撃による塑性変形や破損を抑制することができる。
【００３９】
次に、このような構成の記録テープカートリッジ１０の作用について説明する。記録テープカートリッジ１０は、不使用時（保管時や運搬時等）には、開口２０がドア５０によって閉塞されている。具体的には、ドア５０は、コイルばね５６の付勢力によって、常時開口２０閉塞方向へ付勢されており、その前端部（先端部）がガイド壁部４１内に入り込むとともに傾斜壁部３０の内側に位置する状態で、開口２０を閉塞している。
【００４０】
一方、磁気テープＴを使用する際には、記録テープカートリッジ１０を矢印Ａ方向に沿ってドライブ装置へ装填する。この装填に伴って、ドライブ装置の開閉手段を構成する開閉部材（図示省略）が、前方へ開放しているスリット４０に進入し、ドア５０の操作突起５２に係合する。この状態で、記録テープカートリッジ１０（ケース１２）を更に押し込むと、この押し込み力によってコイルばね５６の付勢力に抗しつつ、開閉部材が操作突起５２を後方へ移動させる（矢印Ａ方向へ装填されるケース１２に対して後方へ相対移動させる）。
【００４１】
すると、その操作突起５２が突設されているドア５０は、凸部５１がガイド壁部４２によって案内されつつ、その湾曲方向に沿って（所定の円周に沿って）平面視時計方向に回動する。すなわち、ドア５０は、ガイド壁部４２によって、その湾曲形状に沿った移動軌跡からはみ出すことなく、ピン保持部２４及びリール１４の外側を回り込むように略後方へスライド移動（回動）し、開口２０を開放する。そして、ケース１２（記録テープカートリッジ１０）がドライブ装置に所定深さ装填されると、ドア５０の前端部近傍の外面がビスボス３６の近傍に達し、開口２０が完全に開放される。
【００４２】
こうして、開口２０が開放された状態で、記録テープカートリッジ１０がドライブ装置内で位置決めされると、ドア５０はそれ以上の回動（略後方への移動）が規制され、開放された開口２０からはドライブ装置の引出手段がケース１２内に進入し、この引出手段がピン保持部２４に位置決め保持されたリーダーピン２２を抜き出して、図示しない巻取リールに収容する。そして、その巻取リールとリール１４とを同期して回転駆動することにより、磁気テープＴは、巻取リールに巻き取られつつ順次ケース１２から引き出され、所定のテープ経路に沿って配設された記録再生ヘッド等によって情報の記録や再生が行われる。
【００４３】
一方、磁気テープＴがリール１４に巻き戻されて、記録テープカートリッジ１０をドライブ装置から排出する際には、記録テープカートリッジ１０は、位置決め状態が解除され、コイルばね５６の付勢力又は図示しないイジェクト機構によって矢印Ａ方向とは反対方向に移動される。そして、ドア５０は、その凸部５１がガイド壁部４２に案内されつつ、コイルばね５６の付勢力によって開口２０の閉塞方向へ回動する。そして、ドア５０の前端部（先端部）がガイド壁部４１内に入り込むとともに傾斜壁部３０の内側に位置した状態で、開口２０が完全に閉塞され、初期状態に復帰する。
【００４４】
ここで、上記したように、ドア５０の前端部（先端部）は、傾斜壁部３０の内側に入り込んだ状態で（傾斜壁部３０とオーバーラップした状態で）、開口２０を閉塞する。したがって、このとき、その開口２０を構成する傾斜壁部３０の後縁部とドア５０との間に、塵埃等が入り込める隙間は存在せず、塵埃等の進入が確実に防止される。よって、ケース１２の開口２０付近において、防塵性の強化（向上）が図れる。更に、この傾斜壁部３０を設けたことによって、開口２０周りの強度アップが図れるので、落下衝撃による塑性変形や破損も抑制できる。
【００４５】
また、この開口２０は、矩形状のケース１２の装填側角部（右前角部）を切り欠いて形成されているため、その開放面が矢印Ａ方向及び矢印Ｂ方向に向いている（開放面が矢印Ａ方向に対して傾斜している）。したがって、ドライブ装置の引出手段（フック等）が矢印Ａ方向、矢印Ｂ方向、あるいは矢印Ａ方向と矢印Ｂ方向との間からアクセスしてリーダーピン２２をチャックすることが可能となり、磁気テープＴを引き出すための経路を最短とする方向（矢印Ａ方向）を選択できる。
【００４６】
つまり、リーダーピン２２をチャックできる領域が広がることによって、ピン保持部２４を設置できるエリアが広がり、矢印Ａ方向からチャックするドライブ装置の仕様に合わせてピン保持部２４の配設位置を設定できるため、ドライブ装置及び記録テープカートリッジ１０の設計の自由度を広げることができる。
【００４７】
また、ドア５０は円弧状に湾曲形成され、その移動軌跡がリール１４の外周部に略沿うような所定の円周に対応した曲線状であるため、ケース１２内におけるスペースの有効利用が図れるとともに、開口２０の大型化を図ることができる。すなわち、開口２０を開閉するドア５０の回動中心は、リール１４の軸心位置に対して独立に決めることができるため、開口２０の開放面の矢印Ａ方向に対する傾斜角や開口２０の大きさ（前後の辺縁部である傾斜壁部３０及びビスボス３６を結ぶ距離）等を任意に設定することができ、ドライブ装置等の要求に応じた任意寸法形状の開口２０を得ることができる。
【００４８】
【発明の効果】
以上、何れにしても本発明によれば、遮蔽部材が開口を閉塞しているとき、遮蔽部材の先端は、開口の辺縁部に形成された防塵壁とオーバーラップするため、その開口の辺縁部と遮蔽部材との間に、塵埃等が入り込む隙間は生じない。よって、その部位において、防塵性の強化が図れる。
【図面の簡単な説明】
【図１】記録テープカートリッジの概略斜視図
【図２】記録テープカートリッジの概略分解斜視図
【図３】下ケースの概略平面図
【図４】上ケースの概略平面図
【図５】下ケースの開口付近を示す概略拡大平面図
【図６】下ケースの開口付近を示す概略拡大斜視図
【図７】リーダーピンを備えた従来の磁気テープカートリッジの概略分解斜視図
【符号の説明】
１０　記録テープカートリッジ
１２　ケース
１４　リール
１６　上ケース
１８　下ケース
２０　開口
２２　リーダーピン
３０　傾斜壁部（防塵壁）
４１　ガイド壁部
４２　ガイド壁部
５０　ドア（遮蔽部材）
【図１】
2004030760.tif 000003
【図２】
2004030760.tif 000004
【図３】
2004030760.tif 000005
【図４】
2004030760.tif 000006
【図５】
2004030760.tif 000007
【図６】
2004030760.tif 000008
【図７】
2004030760.tif 000009